(57)【要約】【課題】二つの記録装置を近接させつつ、互いに離隔させた表示装置及びテレビジョン受信機を提供する。【解決手段】本発明に係る表示装置は、表示部と、該表示部を支持する支持柱８ａ、８ｂと、該支持柱８ａ、８ｂの下部を固定する基板５と、いずれも箱状をなし、ディスク状の第一記録媒体及び第二記録媒体を各回転させて情報を記録する第一記録装置及び第二記録装置とを備える表示装置において、前記基板５の上面に取り付けられており、前記第一記録装置を固定する第一固定部材と、前記支持柱８ａ、８ｂの途中に固定された補助部材９ａ、９ｂと、該補助部材９ａ、９ｂに取り付けられており、前記第二記録装置を固定する第二固定部材とを備え、前記第一固定部材及び第一記録装置と、前記第二固定部材及び第二記録装置とは離隔していることを特徴とする。【選択図】図９
2015019323.tif 000002
【特許請求の範囲】
【請求項１】
表示部と、該表示部を支持する支持柱と、該支持柱の下部を固定する基板と、いずれも箱状をなし、ディスク状の第一記録媒体及び第二記録媒体を各回転させて情報を記録する第一記録装置及び第二記録装置とを備える表示装置において、
前記基板の上面に取り付けられており、前記第一記録装置を固定する第一固定部材と、
前記支持柱の途中に固定された補助部材と、
該補助部材に取り付けられており、前記第二記録装置を固定する第二固定部材と
を備え、
前記第一固定部材及び第一記録装置と、前記第二固定部材及び第二記録装置とは離隔している
ことを特徴とする表示装置。
【請求項２】
前記第一固定部材は、前記第一記録装置の側部及び上部を覆う曲板状をなし、
前記第一記録装置は、前記第一記録媒体が前記基板と平行になるように前記第一固定部材に固定されている
ことを特徴とする請求項１に記載の表示装置。
【請求項３】
前記第二固定部材は、平板状の中央部分と該中央部分より上方向に突出した周縁部分とを有し、前記中央部分が前記基板と平行になるよう、前記周縁部分が前記補助部材に取り付けられており、
前記第二記録装置は、前記第二記録媒体が前記中央部分と平行になるように前記中央部分に固定されている
ことを特徴とする請求項１又は２に記載の表示装置。
【請求項４】
前記第二記録装置は、前記第一記録装置の上方に配置されており、
前記表示部の背面を覆うバックキャビネットと、
前記基板及びバックキャビネットに接合し、第一固定部材、第二固定部材、第一記録装置及び第二記録装置を覆う取り外し可能な覆体と
を備えることを特徴とする請求項１から３までのいずれか一つに記載の表示装置。
【請求項５】
請求項１から４までのいずれか一つに記載の表示装置と、
テレビジョン放送波を受信するチューナとを備え、
前記表示部は、前記チューナが受信したテレビジョン放送波に基づく映像を表示する
ことを特徴とするテレビジョン受信機。
【発明の詳細な説明】
【技術分野】
【０００１】
本発明は、ＨＤＤ（Hard Disk Drive）又は光ディスクドライブ等の記録装置を複数備えた表示装置及びテレビジョン受信機に関する。
【背景技術】
【０００２】
映像を記録及び再生するため、ＨＤＤ又は光ディスクに映像及び音声の記録及び再生を行う光ディスクドライブ等の記録装置を複数備える表示装置がある。
【先行技術文献】
【特許文献】
【０００３】
【特許文献１】特開２０１１−２４９９７５号公報
【特許文献２】特開２０１１−０６１５０５号公報
【発明の概要】
【発明が解決しようとする課題】
【０００４】
ここで、ＨＤＤ及び光ディスクドライブは動作時に振動するところ、斯かる記録装置の一方の振動が他方に伝搬した場合に、動作が適切に行われない可能性がある。このため、特許文献１及び２に記載の表示装置のように、一方は表示装置の中央下部、他方は側面の近傍など、二つの記録装置の設置場所を離隔させることが有効である。
【０００５】
しかし、特許文献１及び２に記載の表示装置では、ＨＤＤと光ディスクドライブとが離れた位置に設けられているためＨＤＤ及び光ディスクドライブ双方の修理又は点検を行う場合に、夫々を覆うカバーを外す等の手間が生じるという問題があった。
【０００６】
本発明は斯かる事情に鑑みてなされたものであり、光ディスクドライブ、ＨＤＤ等の二つの記録装置を近接させつつ、互いに離隔させた表示装置及びテレビジョン受信機を提供することを目的とする。
【課題を解決するための手段】
【０００７】
本発明に係る表示装置は、表示部と、該表示部を支持する支持柱と、該支持柱の下部を固定する基板と、いずれも箱状をなし、ディスク状の第一記録媒体及び第二記録媒体を各回転させて情報を記録する第一記録装置及び第二記録装置とを備える表示装置において、前記基板の上面に取り付けられており、前記第一記録装置を固定する第一固定部材と、前記支持柱の途中に固定された補助部材と、該補助部材に取り付けられており、前記第二記録装置を固定する第二固定部材とを備え、前記第一固定部材及び第一記録装置と、前記第二固定部材及び第二記録装置とは離隔していることを特徴とする。
【０００８】
本発明に係る表示装置は、前記第一固定部材は、前記第一記録装置の側部及び上部を覆う曲板状をなし、前記第一記録装置は、前記第一記録媒体が前記基板と平行になるように前記第一固定部材に固定されていることを特徴とする。
【０００９】
本発明に係る表示装置は、前記第二固定部材は、平板状の中央部分と該中央部分より上方向に突出した周縁部分とを有し、前記中央部分が前記基板と平行になるよう、前記周縁部分が前記補助部材に取り付けられており、前記第二記録装置は、前記第二記録媒体が前記中央部分と平行になるように前記中央部分に固定されていることを特徴とする。
【００１０】
本発明に係る表示装置は、前記第二記録装置は、前記第一記録装置の上方に配置されており、前記表示部の背面を覆うバックキャビネットと、前記基板及びバックキャビネットに接合し、第一固定部材、第二固定部材、第一記録装置及び第二記録装置を覆う取り外し可能な覆体とを備えることを特徴とする。
【００１１】
本発明に係るテレビジョン受信機は、上述の表示装置と、テレビジョン放送波を受信するチューナとを備え、前記表示部は、前記チューナが受信したテレビジョン放送波に基づく映像を表示することを特徴とする。
【発明の効果】
【００１２】
本発明によれば、第一固定部材及び第一記録装置と、前記第二固定部材及び第二記録装置とは離隔しており、また、第一記録装置は、第一固定部材及び支持柱を介して基板に固定されている。従って、表示部の重量が加わった基板に、第一固定部材を介して固定されている第一記録装置の振動が抑制され、且つ第一記録装置及び第二記録装置の一方に生じる振動が他方に伝搬することが抑制される。
【図面の簡単な説明】
【００１３】
【図１】表示装置を示す前面斜視図である。
【図２】表示装置を示す背面斜視図である。
【図３】表示装置を示す下面図である。
【図４】ユニットカバーを外した状態の表示装置を示す背面斜視図である。
【図５】ユニットカバーを示す上面斜視図である。
【図６】ユニットカバーを示す下面斜視図である。
【図７】バックキャビネット及びユニットカバーを外した状態の表示装置を示す背面斜視図である。
【図８】支持部材を示す斜視図である。
【図９】支持部材、光ディスクユニット及びＨＤＤユニットを示す斜視図である。
【図１０】支持部材、光ディスクユニット及びＨＤＤユニットを示す背面図である。
【図１１】基板を示す平面図である。
【図１２】基板を示す斜視図である。
【図１３】支持柱を示す前面斜視図である。
【図１４】支持柱を示す背面斜視図である。
【図１５】光ディスクユニットを示す平面図である。
【図１６】光ディスクユニットを示す前面斜視図である。
【図１７】光ディスクユニットを示す背面図である。
【図１８】光ディスクドライブが基板に固定された状態を示す背面斜視図である。
【図１９】ＨＤＤユニットを示す平面図である。
【図２０】ＨＤＤユニットを示す前面斜視図である。
【図２１】ＨＤＤユニットが基板に固定された状態を示す背面斜視図である。
【発明を実施するための形態】
【００１４】
以下、本発明の実施の形態について説明する。図１は、表示装置１００を示す前面斜視図である。図２は、表示装置１００を示す背面斜視図である。図３は、表示装置１００を示す下面図である。表示装置１００は、表示部１と、フロントキャビネット２と、バックキャビネット３と、覆体であるユニットカバー４と、基板５とを備える。
【００１５】
表示部１は表示画面を前面に有する横長の長方形の板状をなした、液晶パネル、プラズマディスプレイパネル又は有機ＥＬ（Electro-Luminescence）パネルを有するモジュールであり、前面側に映像が表示される。フロントキャビネット２は、長方形の枠体であり、表示部１の前方の周縁及び側方を取り囲む。フロントキャビネット２は樹脂製である。
【００１６】
バックキャビネット３は、周縁がフロントキャビネット２と同じ大きさの長方形状であり、トレイ状をなして、表示部１の背面側に設けられている。バックキャビネット３は樹脂製である。バックキャビネット３は、表示部１を内部に収容して、周縁がフロントキャビネット２の周縁と接合している。
【００１７】
図４は、ユニットカバー４を外した状態の表示装置を示す背面斜視図である。さらに、バックキャビネット３には中央部分の下部において、背面から底面にかけて横長の開口３ａが設けられている。バックキャビネット３における開口３ａの背面側には、斯かる開口３ａを塞ぐように、ユニットカバー４が設けられている。ユニットカバー４は、バックキャビネット３から取り外し可能である。
【００１８】
図５は、ユニットカバー４を示す上面斜視図である。図６は、ユニットカバー４を示す下面斜視図である。
【００１９】
ユニットカバー４は、側部４１と上底４２とを有する樹脂製の覆体である。側部４１は横長の板状であり、両側が前方に向けて折れ曲がっていることにより、中央部分が背面側に突出した曲板になっている。また、上底４２は、背面側が側部の上縁に沿って接合しており、前面側はその中央部分が、側部４１の両端よりも前面側に突出した形状をなしている。また、側部４１の下縁は、下縁に沿って側部４１の垂直前方に突出している。上底４２の前端には、バックキャビネット３と係合する係合突起４２ａ、４２ａ、４２ａが設けられている。
【００２０】
ユニットカバー４は、係合突起４２ａ、４２ａ、４２ａがバックキャビネット３の開口の上側と係合することにより、バックキャビネット３と接合する。また、ユニットカバー４は、側部４１における下側の周縁が基板５の背面側の周縁と接合する。
【００２１】
図７は、バックキャビネット３及びユニットカバー４を外した状態の表示装置１００を示す背面斜視図である。表示部１の背面側には光ディスク及びＨＤＤを制御する第一制御基板６と、画面表示及びチューナを制御する第二制御基板７とが設けられている。第一制御基板６及び第二制御基板７は、夫々ＣＰＵ（Central Processing Unit）を備えており、第一制御基板６が光ディスク及びＨＤＤを制御し、第二制御基板７が表示部１を電気的に制御する。
【００２２】
また、表示装置１００は、第二制御基板７のチューナより受信したテレビジョン放送に基づいて、前記表示部１に映像を表示するテレビジョン受信機として機能する。
【００２３】
なお、表示装置１００は、後述する支持部材８と、光ディスクユニット１０と、ＨＤＤユニット２０とを備えている。光ディスクユニット１０は、基板５に固定されており、ＨＤＤユニット２０は、支持部材８に固定されている。
【００２４】
図８は、支持部材８を示す斜視図である。図９は、支持部材８、光ディスクユニット１０及びＨＤＤユニット２０を示す斜視図である。図１０は、支持部材８、光ディスクユニット１０及びＨＤＤユニット２０を示す背面図である。支持部材８は、基板５、支持柱８ａ、８ｂ及び補助部材９ａ、９ｂを備える。
【００２５】
図１１は、基板５を示す平面図である。図１２は、基板５を示す斜視図である。基板５は、金属製であり、平板状をなしている。基板５の前面側は、該前面側に広い台形状をなし、基板５の背面側は、該背面側に突出した略半円状を繋げた形状をなしている。基板５は中央に放熱用の貫通孔５ａ、５ａ…が設けられている。基板５は、前端を除き、周縁が垂直に立ち上がっている。また、基板５は、前面側の周縁に、夫々の両側に切り込みが設けられ、前方下部に突出した爪部５１、５１を有する。爪部５１、５１を含む基板５の前面側の周縁は、フロントキャビネット２の底部と接合する。
【００２６】
基板５における前面側の周縁は、フロントキャビネット２における底部の周縁と接合する。基板５における背面側の周縁は、ユニットカバー４の側面における底部の周縁と接合する。
【００２７】
基板５は、横方向の中央部分は、前後方向の全体に亘って平坦である。また、中央部分の両側部分５２、５２は、上側に突出した平坦な上面をなしている。両側部分５２、５２は、夫々前後方向に沿って螺子孔５２ａ、５２ａが設けられている。さらに、両側部分５２、５２の内部には、支持部材８、８を夫々固定する固定部５３、５３が螺子孔５２ａ、５２ａの前方に設けられている。
【００２８】
固定部５３、５３は、平面視長方形状をなしており、前面側から背面側に、基板５の設置面に対して３度傾くように形成されている。固定部５３、５３には、螺子を貫通させる貫通孔５３ａ、５３ａ…が設けられている。
【００２９】
図１３は、支持柱８ａを示す前面斜視図である。図１４は、支持柱８ａを示す背面斜視図である。支持柱８ａは金属柱であり、長方形の板状をなし螺子孔８１ａ、８１ａ…が設けられた底部８１と、該底部８１の短辺側の周縁と垂直をなして接合し、螺子を貫通させる複数の貫通孔８２ａ、８２ａが上部に設けられた、底部８１より長辺が長い長方形状の前方部８２を有する。
【００３０】
また、支持柱８ａは、底部８１及び前方部８２の側方の周縁と接合し、該底部８１及び前方部８２を補強する側部８３を備える。側部８３は、前方部８２の上方と接合している部分は細長の板状をなし、底部８１及び前方部８２の下方と接合している部分は、短辺が底部８１の前後方向と同じ長さをなした略長方形状をなしている。さらに、一方の側部８３における略長方形状の部分の上部には、前後に並んだ複数の螺子孔８３ａ、８３ａ…が設けられている。なお、支持柱８ｂは、支持柱８ａとは反対側の側部８３に前後に並んだ複数の螺子孔が設けられている他は、支持柱８ａと同様の構成である。
【００３１】
前方部８２の貫通孔８２ａ、８２ａ…及び表示部１の背面に設けられた螺子孔に螺子を通すことにより、前方部８２と表示部１の背面とが接合する。底部８１の螺子孔８１ａ、８１ａ…及び基板５の貫通孔５３ａ、５３ａ…に螺子を通すことにより、支持柱８ａ、８ｂが基板５に固定される。これにより、表示部１が、支持柱８ａ、８ｂを介して、３度背面側に傾いた状態で基板５に固定される。また、この際に、支持柱８ａ、８ｂは、螺子孔の設けられている方の側部が内側になるように配置される。
【００３２】
図１５は、光ディスクユニット１０を示す平面図である。図１６は、光ディスクユニット１０を示す前面斜視図である。図１７は、光ディスクユニット１０を示す背面図である。基板５の背面側中央には、光ディスクユニット１０が取り付けられている。光ディスクユニット１０は光ディスクドライブ１１及び第一固定部材である覆板１２を備える。
【００３３】
光ディスクドライブ１１は、直方体状の箱体をなし、Ｂｌｕ−ｒａｙ Ｄｉｓｃ（登録商標）、ＤＶＤ（Digital Vertical Disk）又はＣＤ（Compact Disk）等の図示しない光ディスクを再生し、又は該光ディスクに情報を記録する装置である。
【００３４】
光ディスクドライブ１１の外面は、上面及び下面が最も面積が大きい長方形状をなしている。斯かる上面及び下面に平行になるように、光ディスクは、光ディスクドライブ１１に挿入される。光ディスクドライブ１１の前面には、ディスクトレイが出入するための出入口１１ａが設けられており、出入口１１ａから光ディスクがスライドされて搬入及び搬出される。また、光ディスクドライブ１１は、上面及び下面に垂直な軸を回転軸として光ディスクを回転させることにより、光ディスクに情報を記録し、また、光ディスクに記録された情報を再生する。
【００３５】
覆板１２は、両側面、上面及び背面を有した中空の略直方体状をなす金属板である。覆板１２は、幅及び奥行が、内部に光ディスクドライブ１１を若干の隙間をもって収納できる程度であり、高さは、光ディスクドライブ１１の高さより十分高い。覆板１２は、光ディスクドライブ１１の側部、上部及び背面部を覆う。覆板１２は側部に螺子を通じる孔が設けられており、該孔に螺子１３、１３を通すことにより、光ディスクドライブ１１の位置を固定する。この際に光ディスクドライブ１１は、覆板１２の内側上方に位置が固定されている。また、覆板１２には、放熱用の貫通孔１２ａ、１２ａ…が、全体に亘って設けられている。また、覆板１２の背面部は、光ディスクドライブ１１と、制御部等とを繋ぐ配線１４を通すため、一部が開口されている。
【００３６】
また、覆板１２の夫々の側面側の底部には、接合部１２ｂ、１２ｂが設けられている。接合部１２ｂ、１２ｂは前後方向に延びた平板状であり、覆板１２の側面から垂直方向に延びている。接合部１２ｂ、１２ｂには、螺子を通す貫通孔１２ｃ、１２ｃが設けられている。
【００３７】
図１８は、光ディスクユニット１０が基板５に固定された状態を示す背面斜視図である。貫通孔１２ｃ、１２ｃを通じて、基板５における螺子孔５２ａ、５２ａに螺子１５、１５が螺合することにより、覆板１２が基板５に固定される。このように、光ディスクドライブ１１は、光ディスクの回転軸が基板と垂直な方向になるように、いわゆる平置きの状態で、基板５上に固定される。
【００３８】
ＨＤＤユニット２０について説明する。図１９は、ＨＤＤユニット２０を示す平面図である。図２０は、ＨＤＤユニット２０を示す前面斜視図である。ＨＤＤユニット２０は、ＨＤＤ本体２１と、第二固定部材である設置板２２と、コネクタ２３とを備える。
【００３９】
ＨＤＤ本体２１は、直方体状であり、背面側が、第一制御基板６と接続するコネクタ２３を通じて配線２４と接続している。ＨＤＤ本体２１は、上面及び下面が最も面積が大きい長方形状をなしており、斯かる上面及び下面に平行になるように、図示しない磁気ディスクドライブが内部に設けられている。また、ＨＤＤ本体２１は、上面及び下面に垂直な軸を回転軸として磁気ディスクドライブを回転させることにより、磁気ディスクドライブに情報を記録し、また、磁気ディスクドライブに記録された情報を再生する。
【００４０】
設置板２２は、中央部分２２ａが長方形状の平板状をなした金属板である。中央部分２２ａには、ＨＤＤ本体２１の底面が固定されている。また、中央部分２２ａには、環状をなし、配線を留める留め具２２ｃが設けられている。
【００４１】
中央部分２２ａの短辺側の周縁には、該周縁に沿って断面がＬ字状をなす周縁部分２２ｂ、２２ｂが接合している。周縁部分２２ｂ、２２ｂは、中央部分２２ａと接合している側は、該中央部分２２ａと垂直をなして、中央部の上側に突出しており、また、中央部分２２ａと接合していない側は、中央部分２２ａと平行になるよう構成されている。周縁部分２２ｂ、２２ｂの中央部分２２ａと接合している側は、高さがＨＤＤ本体２１の高さより高い。周縁部分２２ｂ、２２ｂにおける中央部分２２ａと平行な側には、長手方向に沿って設けられた貫通孔に、ゴムブッシュ２５、２５…が通じている。図２１は、ＨＤＤユニット２０が基板５に固定された状態を示す背面斜視図である。
【００４２】
図８及び図９に示すように、支持柱８ａには、螺子孔８３ａ、８３ａ…に螺子が螺合することにより、支持柱８ａの中央側寄りに前後方向に延びた、断面がＬ字型で柱状の補助部材９ａが取り付けられている。補助部材９ａは、補助部材９ａと接合する補助部材接合部９１ａと、設置板２２と接合する設置板接合部９２ａの２枚の細長の板が接合することにより構成されている。補助部材９ａは、補助部材接合部９１ａの貫通孔及び支持部材８の螺子孔８３ａ、８３ａ…に螺子が螺合することにより、支持柱８ａの側部と対向するように接合する。また、この場合に、設置板接合部９２ａは、補助部材接合部９１ａの上端から前後方向に延びている。設置板接合部９２ａは、貫通孔が設けられており、周縁部分２２ｂの貫通孔と共にゴムブッシュ２５、２５…が貫通されることにより、設置板２２が補助部材９ａに取り付けられる。
【００４３】
同様に支持柱８ｂには、補助部材９ａと対称な形状をなす、断面Ｌ字型で柱状の補助部材９ｂが固定されている。補助部材９ｂは、支持柱８ｂに補助部材接合部９１ａが固定されており、設置板接合部９２ｂに設置板２２が取り付けられている。これにより、支持柱８ａ、８ｂにＨＤＤユニット２０が固定された状態で、ＨＤＤ本体２１は、内部の磁気ディスクが、基板５と平行になる、いわゆる平置き状態で固定される。
【００４４】
図２及び図４で示すように、本実施形態における光ディスクユニット１０及びＨＤＤユニット２０は、ユニットカバー４により覆われている。また、図９及び図１０で示すように、光ディスクユニット１０の光ディスクドライブ１１及び覆板１２と、ＨＤＤユニット２０のＨＤＤ本体２１及び設置板２２とは、直接接触せず、離隔して設けられている。
【００４５】
光ディスクドライブ１１及びＨＤＤ本体２１は、夫々作動時に振動を生じる。しかし、本実施の形態によれば、光ディスクユニット１０及びＨＤＤユニット２０とは離隔しており、一方の振動が他方に伝搬し難い。また、基板５には、支持部材８を介して表示部１の重量が加わっているために、光ディスクユニット１０に生じる振動を抑制することができる。さらに、ユニットカバー４が光ディスクユニット１０及びＨＤＤユニット２０の両方を覆っているので、光ディスクドライブ１１及びＨＤＤ本体２１の修理時にバックキャビネット３を取り外す必要が無く、ユニットカバー４のみを外せば修理を行うことができる。加えて、光ディスクドライブ１１及びＨＤＤ本体２１が共に平置きで設置することができるので、縦置きの場合と比較して故障を抑えることができる。
【００４６】
なお、光ディスクユニット１０及びＨＤＤユニット２０は、夫々、ディスク状の記録媒体を回転させて情報を記録する記録装置であれば、特に限定は無い。
【００４７】
本実施の形態に係る表示装置１００は、表示部１と、該表示部１を支持する支持柱８ａ、８ｂと、該支持柱８ａ、８ｂの下部を固定する基板５と、いずれも箱状をなし、ディスク状の第一記録媒体及び第二記録媒体を各回転させて情報を記録する第一記録装置及び第二記録装置とを備える表示装置１００において、前記基板５の上面に取り付けられており、前記第一記録装置を固定する第一固定部材と、前記支持柱８ａ、８ｂの途中に固定された補助部材９ａ、９ｂと、該補助部材９ａ、９ｂに取り付けられており、前記第二記録装置を固定する第二固定部材とを備え、前記第一固定部材及び第一記録装置と、前記第二固定部材及び第二記録装置とは離隔していることを特徴とする。
【００４８】
本実施の形態によれば、第一固定部材及び第一記録装置と、前記第二固定部材及び第二記録装置とは離隔しており、また、第一記録装置は、第一固定部材及び支持柱８ａ、８ｂを介して基板５に固定されている。従って、表示部１の重量が加わった基板５に、第一固定部材を介して固定されている第一記録装置の振動が抑制され、且つ第一記録装置及び第二記録装置の一方に生じる振動が他方に伝搬することが抑制される。
【００４９】
本発明に係る表示装置１００は、前記第一固定部材は、前記第一記録装置の側部及び上部を覆う曲板状をなし、前記第一記録装置は、前記第一記録媒体が前記基板５と平行になるように前記第一固定部材に固定されていることを特徴とする。
【００５０】
本実施の形態によれば、前記第一記録媒体が前記基板５と平行になるように前記第一固定部材に固定されているので、平坦な水平面に表示装置１００を設置した場合に、第一記録装置は、第一記録媒体がいわゆる平置きになるように配置され、動作不良が生じる可能性がより減少する。
【００５１】
本実施の形態に係る表示装置１００は、前記第二固定部材は、平板状の中央部分２２ａと該中央部分２２ａより上方向に突出した周縁部分２２ｂとを有し、前記中央部分２２ａが前記基板５と平行になるよう、前記周縁部分２２ｂが前記補助部材９ａ、９ｂに取り付けられており、前記第二記録装置は、前記第二記録媒体が前記中央部分２２ａと平行になるように前記中央部分２２ａに固定されていることを特徴とする。
【００５２】
本実施の形態によれば、第二固定部材は、中央部分２２ａが基板５と平行になるよう、周縁部分２２ｂが補助部材９ａ、９ｂに取り付けられており、第二記録装置は、第二記録媒体が中央部分２２ａと平行になるように中央部分２２ａに固定されているので、平坦な水平面に表示装置１００を設置した場合に、第二記録装置は、第二記録媒体がいわゆる平置きになるように配置され、動作不良が生じる可能性がより減少する。
【００５３】
本実施の形態に係る表示装置１００は、前記第二記録装置は、前記第一記録装置の上方に配置されており、前記表示部１の背面を覆うバックキャビネット３と、前記基板５及びバックキャビネット３に接合し、第一固定部材、第二固定部材、第一記録装置及び第二記録装置を覆う取り外し可能な覆体とを備えることを特徴とする。
【００５４】
本実施の形態によれば、覆体が第一固定部材、第二固定部材、第一記録装置及び第二記録装置を覆っているので、覆体を取り外すことで、第一記録装置及び第二記録装置の修理又は点検を容易に行うことができる。
【００５５】
本実施の形態に係るテレビジョン受信機は、上述の表示装置１００と、テレビジョン放送波を受信するチューナとを備え、前記表示部１は、前記チューナが受信したテレビジョン放送波に基づく映像を表示することを特徴とする。
【００５６】
本実施の形態によれば、テレビジョン受信機において、上述した表示装置１００の効果を実現することができる。
【００５７】
今回開示された実施の形態はすべての点で例示であって、制限的なものでは無いと考えられるべきである。本発明の範囲は、上記した意味では無く、特許請求の範囲によって示され、特許請求の範囲と均等の意味及び範囲内でのすべての変更が含まれることが意図される。
【符号の説明】
【００５８】
１００  表示装置
１  表示部
２  フロントキャビネット
３  バックキャビネット
４  ユニットカバー
４１  側部
４２  上底
４２ａ  係合突起
５  基板
５ａ  貫通孔
５１  爪部
５２  両側部分
５２ａ  螺子孔
５３  固定部
５３ａ  貫通孔
６  第一制御基板
７  第二制御基板
８  支持部材
８ａ、８ｂ  支持柱
９ａ、９ｂ  補助部材
８１  底部
８１ａ  螺子孔
８２  前方部
８２ａ  貫通孔
８３  側部
８３ａ  螺子孔
９ａ、９ｂ  補助部材
９１ａ、９１ｂ  補助部材接合部
９２ａ、９２ｂ  設置板接合部
１０  光ディスクユニット
１１  光ディスクドライブ
１１ａ  出入口
１２  覆板
１２ａ  貫通孔
１２ｂ  接合部
１２ｃ  貫通孔
１３、１５  螺子
１４  配線
２０  ＨＤＤユニット
２１  ＨＤＤ本体
２２  設置板
２２ａ  中央部分
２２ｂ  周縁部分
２２ｃ  留め具
２３  コネクタ
２４  配線
２５ ゴムブッシュ
【図１】
2015019323.tif 000003
【図２】
2015019323.tif 000004
【図３】
2015019323.tif 000005
【図４】
2015019323.tif 000006
【図５】
2015019323.tif 000007
【図６】
2015019323.tif 000008
【図７】
2015019323.tif 000009
【図８】
2015019323.tif 000010
【図９】
2015019323.tif 000011
【図１０】
2015019323.tif 000012
【図１１】
2015019323.tif 000013
【図１２】
2015019323.tif 000014
【図１３】
2015019323.tif 000015
【図１４】
2015019323.tif 000016
【図１５】
2015019323.tif 000017
【図１６】
2015019323.tif 000018
【図１７】
2015019323.tif 000019
【図１８】
2015019323.tif 000020
【図１９】
2015019323.tif 000021
【図２０】
2015019323.tif 000022
【図２１】
2015019323.tif 000023